(57)【要約】  本発明は、光記録情報記録媒体、記録／再生装置、記録／再生方法、及びその方法を行うプログラムが記録されたコンピュータで読み取り可能な記録媒体を提供する。リードイン領域、データ領域及びリードアウト領域が設けられ、データ領域は、データ領域に発生した欠陥に関する情報に対応する欠陥リストを記録するための欠陥リスト領域を備え、リードイン領域またはリードアウト領域は、媒体を管理するためのディスク定義構造と、記録媒体に記録されたデータの記録状態を管理するための記録管理データとを記録するためのディスク定義構造／記録管理データ領域を備える単一記録層光媒体である。これにより、欠陥管理が行われるディスクの空間を効率的に管理できる。
2007518213.tif 000002
【特許請求の範囲】
【請求項１】
光記録媒体において、
前記光記録媒体は、単一記録層にリードイン領域、データ領域及びリードアウト領域が設けられ、
前記データ領域は、前記データ領域に発生した欠陥に関する情報に対応する欠陥リストを記録するための欠陥リスト領域を備え、
前記リードイン領域及び／またはリードアウト領域は、前記媒体を管理するためのディスク定義構造と、前記媒体に記録されたデータの記録状態を管理するための記録管理データとを記録するためのディスク定義構造／記録管理データ領域を備えることを特徴とする光記録媒体。
【請求項２】
光記録媒体において、
前記光記録媒体は、二重記録層にリードイン領域、データ領域、中間領域及びリードアウト領域が設けられ、
前記データ領域は、欠陥に関する情報に対応する欠陥リストを記録するための欠陥リスト領域を備え、
前記リードイン領域または中間領域またはリードアウト領域は、前記媒体を管理するためのディスク定義構造と、前記媒体に記録されたデータの記録状態を管理するための記録管理データとを記録するためのディスク定義構造／記録管理データ領域を備えることを特徴とする光記録媒体。
【請求項３】
光記録媒体において、
前記光記録媒体は、リードイン領域、データ領域及びリードアウト領域が設けられ、
前記データ領域は、前記データ領域に発生した欠陥に関する欠陥ブロックを代替するための代替ブロック及び前記欠陥に関する情報に対応する欠陥リストを記録するためのスペア領域／欠陥リスト領域を備えることを特徴とする光記録媒体。
【請求項４】
前記スペア領域／欠陥リスト領域で、前記代替ブロックを記録するための領域は固定されておらず、前記代替ブロックを記録する時点に、前記スペア領域／欠陥リスト領域内の記録可能な領域に順次に割り当てられることを特徴とする請求項１に記載の光記録媒体。
【請求項５】
前記スペア領域／欠陥リスト領域で、前記欠陥リストを記録するための領域は固定されておらず、前記欠陥リストを記録する時点に、前記スペア領域／欠陥リスト領域内の記録可能な領域に順次に割り当てられることを特徴とする請求項１に記載の光記録媒体。
【請求項６】
前記スペア領域／欠陥リスト領域は、前記データ領域の先頭部または末端部に割り当てられることを特徴とする請求項１に記載の光記録媒体。
【請求項７】
前記リードイン領域またはリードアウト領域は、前記媒体を管理するためのディスク定義構造と、前記ディスクに記録されたデータの記録状態を管理するための記録管理データとを備えるディスク定義構造／記録管理データブロックを記録するためのディスク定義構造／記録管理データ領域を備えることを特徴とする請求項１に記載の光記録媒体。
【請求項８】
前記ディスク定義構造は、
前記スペア領域／欠陥リスト領域内の次の記録可能な位置情報を含むことを特徴とする請求項７に記載の光記録媒体。
【請求項９】
前記ディスク定義構造／記録管理データブロックは、ディスクの記録状態に対応して前記ディスク定義構造／記録管理データ領域内でアップデートされ、前記アップデートされるディスク定義構造／記録管理データブロックは、前記ディスク定義構造／記録管理データ領域に順次に位置されることを特徴とする請求項７に記載の光記録媒体。
【請求項１０】
前記ディスク定義構造／記録管理データ領域に記録される第一ディスク定義構造は、
前記データ領域に割り当てられた前記スペア領域／欠陥リスト領域の位置情報と、前記リードイン領域及び／またはリードアウト領域に割り当てられたディスク定義構造／記録管理データ領域の位置情報とを含むことを特徴とする請求項７に記載の光記録媒体。
【請求項１１】
光記録媒体に／からデータを記録／再生する装置において、
リードイン領域、データ領域及びリードアウト領域が設けられた単一記録層媒体に／からデータを記録／再生する記録／再生部と、
前記データ領域に発生した欠陥に関する情報に対応する欠陥リストを、前記データ領域の一部に設けられた欠陥リスト領域に記録し、前記媒体を管理するためのディスク定義構造及び前記媒体に記録されたデータの記録状態を管理するための記録管理データを、前記リードイン領域及び／またはリードアウト領域に設けられたディスク定義構造／記録管理データ領域に記録するように前記記録／再生部を制御する制御部とを備えることを特徴とする記録／再生装置。
【請求項１２】
光記録媒体に／からデータを記録／再生する装置において、
リードイン領域、データ領域、中間領域及びリードアウト領域が設けられた二重記録層記録媒体に／からデータを記録／再生する記録／再生部と、
前記データ領域に発生した欠陥に関する情報に対応する欠陥リストを、前記データ領域に設けられた欠陥リスト領域に記録し、前記媒体を管理するためのディスク管理情報と、前記媒体に記録されたデータの記録状態を管理するための記録管理情報とを、前記リードイン領域、中間領域及びリードアウト領域のうち、少なくとも一つに設けられたディスク定義構造／記録管理データ領域に記録するように前記記録／再生部を制御する制御部とを備えることを特徴とする記録／再生装置。
【請求項１３】
光記録媒体に／からデータを記録／再生する装置において、
リードイン領域、データ領域及びリードアウト領域が設けられた光記録媒体に／からデータを記録／再生する記録／再生部と、
前記データ領域に発生した欠陥に関する欠陥ブロックを代替するための代替ブロック及び前記欠陥に関する情報に対応する欠陥リストを、前記データ領域に設けられたスペア領域／欠陥リスト領域に記録するように前記記録／再生部を制御する制御部とを備えることを特徴とする記録／再生装置。
【請求項１４】
前記制御部は、
前記代替ブロックを記録する時点に、前記スペア領域／欠陥リスト領域内の記録可能な領域に前記代替ブロックを順次に記録するように、前記記録／再生部を制御することを特徴とする請求項１３に記載の記録／再生装置。
【請求項１５】
前記制御部は、
前記欠陥リストを記録する時点に、前記スペア領域／欠陥リスト領域内の記録可能な領域に前記欠陥リストを順次に記録するように、前記記録／再生部を制御することを特徴とする請求項１３に記載の記録／再生装置。
【請求項１６】
前記制御部は、
前記スペア領域／欠陥リスト領域を、前記データ領域の先頭部または末端部に割り当てるように、前記記録／再生部を制御することを特徴とする請求項１３に記載の記録／再生装置。
【請求項１７】
前記制御部は、
前記媒体を管理するためのディスク定義構造と、前記媒体に記録されたデータの記録状態を管理するための記録管理データとを備えるディスク定義構造／記録管理データブロックを、前記リードイン領域及び／またはリードアウト領域に設けられたディスク定義構造／記録管理データ領域に記録するように、前記記録／再生部を制御することを特徴とする請求項１３に記載の記録／再生装置。
【請求項１８】
前記制御部は、
前記スペア領域／欠陥リスト領域内の次の記録可能な位置情報を含む前記ディスク管理情報を記録するように、前記記録／再生部を制御することを特徴とする請求項１７に記載の記録／再生装置。
【請求項１９】
前記制御部は、
前記媒体の記録状態によってアップデートされたディスク定義構造／記録管理データブロックを、前記ディスク定義構造／記録管理データ領域に順次に記録するように、前記記録／再生部を制御することを特徴とする請求項１７に記載の記録／再生装置。
【請求項２０】
前記制御部は、
前記データ領域に設けられた前記スペア領域／欠陥リスト領域の位置情報と、前記リードイン領域またはリードアウト領域に設けられたディスク定義構造／記録管理データ領域の位置情報とを含むディスク定義構造／記録管理データブロックを、前記ディスク定義構造／記録管理データ領域の先頭の位置に記録するように、前記記録／再生部を制御することを特徴とする請求項１７に記載の記録／再生装置。
【請求項２１】
光記録媒体にデータを記録する方法において、
リードイン領域、データ領域及びリードアウト領域が設けられた単一記録層光記録媒体の前記データ領域に発生した欠陥に関する情報に対応する欠陥リストを、前記データ領域の一部に設けられた欠陥リスト領域に記録するステップと、
前記媒体を管理するためのディスク定義構造、及び前記媒体に記録されたデータの記録状態を管理するための記録管理データを、前記リードイン領域及び／またはリードアウト領域に設けられたディスク定義構造／記録管理データ領域に記録するステップとを含むことを特徴とする記録方法。
【請求項２２】
光記録媒体にデータを記録する方法において、
リードイン領域、データ領域、中間領域及びリードアウト領域が設けられた二重記録層媒体の前記データ領域に発生した欠陥に関する情報に対応する欠陥リストを、前記データ領域に設けられた欠陥リスト領域に記録するステップと、
前記媒体を管理するためのディスク管理情報と、前記媒体に記録されたデータの記録状態を管理するための記録管理情報とを、前記リードイン領域、中間領域及びリードアウト領域の少なくとも一つに設けられたディスク定義構造／記録管理データ領域に記録するステップとを含むことを特徴とする記録方法。
【請求項２３】
光記録媒体にデータを記録する方法において、
リードイン領域、データ領域及びリードアウト領域が設けられた光記録媒体の前記データ領域に発生した欠陥に関する欠陥ブロックを代替するための代替ブロック及び前記欠陥に関する情報に対応する欠陥リストを、前記データ領域に設けられたスペア領域／欠陥リスト領域に記録するステップを含むことを特徴とする記録方法。
【請求項２４】
前記記録ステップは、
前記代替ブロックを記録する時点に、前記スペア領域／欠陥リスト領域内の記録可能な領域に前記代替ブロックを順次に記録するステップを含むことを特徴とする請求項２３に記載の記録方法。
【請求項２５】
前記記録ステップは、
前記欠陥リストを記録する時点に、前記スペア領域／欠陥リスト領域内の記録可能な領域に前記欠陥リストを順次に記録するステップを含むことを特徴とする請求項２３に記載の記録方法。
【請求項２６】
前記スペア領域／欠陥リスト領域を、前記データ領域の先頭部または末端部に割り当てるステップをさらに含むことを特徴とする請求項２３に記載の記録方法。
【請求項２７】
前記媒体を管理するためのディスク定義構造、及び前記媒体に記録されたデータの記録状態を管理するための記録管理データを含むディスク定義構造／記録管理データブロックを、前記リードイン領域及び／またはリードアウト領域に設けられたディスク定義構造／記録管理データ領域に記録するステップをさらに含むことを特徴とする請求項２３に記載の記録方法。
【請求項２８】
前記ディスク管理情報に、前記スペア領域／欠陥リスト領域内の次の記録可能な位置情報を含めて構成するステップをさらに含むことを特徴とする請求項２７に記載の記録方法。
【請求項２９】
前記媒体の記録状態によってアップデートされたディスク定義構造／記録管理データブロックを、前記ディスク定義構造／記録管理データ領域に順次に記録するステップをさらに含むことを特徴とする請求項２７に記載の記録方法。
【請求項３０】
前記データ領域に設けられた前記スペア領域／欠陥リスト領域の位置情報と、前記リードイン領域またはリードアウト領域に設けられたディスク定義構造／記録管理データ領域の位置情報とを含むディスク定義構造／記録管理データブロックを、前記ディスク定義構造／記録管理データ領域の先頭の位置に記録するステップをさらに含むことを特徴とする請求項２７に記載の記録方法。
【請求項３１】
光記録媒体からデータを再生する方法において、
リードイン領域、データ領域及びリードアウト領域が設けられた単一記録層光記録媒体の前記データ領域に発生した欠陥に関する情報に対応する欠陥リストを、前記データ領域の一部に設けられた欠陥リスト領域から読み込むステップと、
前記媒体を管理するためのディスク定義構造、及び前記媒体に記録されたデータの記録状態を管理するための記録管理データを、前記リードイン領域及び／またはリードアウト領域に設けられたディスク定義構造／記録管理データ領域から読み込むステップとを含むことを特徴とする再生方法。
【請求項３２】
光記録媒体からデータを再生する方法において、
リードイン領域、データ領域、中間領域及びリードアウト領域が設けられた二重記録層媒体の前記データ領域に発生した欠陥に関する情報に対応する欠陥リストを、前記データ領域に設けられた欠陥リスト領域から読み込むステップと、
前記媒体を管理するためのディスク管理情報と、前記媒体に記録されたデータの記録状態を管理するための記録管理情報とを、前記リードイン領域、中間領域及びリードアウト領域のうち、少なくとも一つに設けられたディスク定義構造／記録管理データ領域から読み込むステップとを含むことを特徴とする再生方法。
【請求項３３】
光記録媒体からデータを再生する方法において、
リードイン領域、データ領域及びリードアウト領域が設けられた光記録媒体の前記データ領域に発生した欠陥に関する欠陥ブロックを代替するための代替ブロック、及び前記欠陥に関する情報に対応する欠陥リストを、前記データ領域に設けられたスペア領域／欠陥リスト領域から読み込むステップを含むことを特徴とする再生方法。
【請求項３４】
前記媒体を管理するためのディスク定義構造、及び前記媒体に記録されたデータの記録状態を管理するための記録管理データを含むディスク定義構造／記録管理データブロックを、前記リードイン領域またはリードアウト領域に設けられたディスク定義構造／記録管理データ領域から読み込むステップをさらに含むことを特徴とする請求項３３に記載の再生方法。
【請求項３５】
前記ディスク管理情報から前記スペア領域／欠陥リスト領域内の次の記録可能な位置情報を得ることを特徴とする請求項３４に記載の再生方法。
【請求項３６】
前記媒体の記録状態によって、最も最近にアップデートされたディスク定義構造／記録管理データ情報を、前記ディスク定義構造／記録管理データ領域に入っている最後のディスク定義構造／記録管理データブロックから読み込むステップをさらに含むことを特徴とする請求項３４に記載の再生方法。
【請求項３７】
前記データ領域に設けられた前記スペア領域／欠陥リスト領域の位置情報と、前記リードイン領域またはリードアウト領域に設けられたディスク定義構造／記録管理データ領域の位置情報とを、前記ディスク定義構造／記録管理データ領域の先頭の位置に記録されたディスク定義構造／記録管理データブロックから読み込むステップをさらに含むことを特徴とする請求項３４に記載の再生方法。
【請求項３８】
光ディスクにデータを記録する方法を行うプログラムが記録されたコンピュータで読み取り可能な記録媒体において、前記記録方法は、
リードイン領域、データ領域及びリードアウト領域が設けられた単一記録層光ディスクの前記データ領域に発生した欠陥に関する情報に対応する欠陥リストを、前記データ領域の一部に設けられた欠陥リスト領域に記録するステップと、
ディスクを管理するためのディスク定義構造、及び前記ディスクに記録されたデータの記録状態を管理するための記録管理データを、前記リードイン領域及び／またはリードアウト領域に設けられたディスク定義構造／記録管理データ領域に記録するステップとを含むことを特徴とする記録媒体。
【請求項３９】
光ディスクからデータを再生する方法を行うプログラムが記録されたコンピュータで読み取り可能な記録媒体において、前記再生方法は、
リードイン領域、データ領域及びリードアウト領域が設けられた単一記録層光ディスクの前記データ領域に発生した欠陥に関する情報に対応する欠陥リストを、前記データ領域の一部に設けられた欠陥リスト領域から読み込むステップと、
ディスクを管理するためのディスク定義構造、及び前記ディスクに記録されたデータの記録状態を管理するための記録管理データを、前記リードイン領域及び／またはリードアウト領域に設けられたディスク定義構造／記録管理データ領域から読み込むステップとを含むことを特徴とする記録媒体。
【請求項４０】
記録及び／または再生装置に使用するための光記録媒体において、
前記記録及び／または再生装置がデータを記録／再生するためのデータ領域と、
前記ユーザデータ領域に発生した欠陥に関する位置情報及び前記欠陥に対応する代替データの位置情報を保存する欠陥リスト領域と、を備え、
前記欠陥リスト領域は、前記記録及び／または再生装置の制御によって前記データ領域の一部に配置されることを特徴とする光記録媒体。
【請求項４１】
前記記録及び／または再生装置は、前記データ領域に前記データを第１方向に記録し、前記位置情報を前記欠陥リスト領域に前記第１方向と逆方向である第２方向に記録することを特徴とする請求項４０に記載の光記録媒体。
【請求項４２】
前記欠陥リスト領域は、前記データ領域の先頭にある第１部分と、前記データ領域の末端にある第２部分とを備えることを特徴とする請求項４０に記載の光記録媒体。
【請求項４３】
前記光記録媒体のリードイン領域及び／またはリードアウト領域のうち少なくとも一つに設けられ、前記光記録媒体の管理情報を保存するディスク定義構造、及び前記光気録媒体の記録状態を管理するための記録管理データを含むディスク管理情報／記録管理情報領域をさらに備えることを特徴とする請求項４０に記載の光記録媒体。
【請求項４４】
前記欠陥リスト領域は、前記データ領域の第１部分と、前記データ領域に前記第１部分と隣接していない第２部分とを備えることを特徴とする請求項４３に記載の光記録媒体。
【請求項４５】
リードイン領域、データ領域及びリードアウト領域が設けられた光記録媒体にデータを管理する方法において、
前記データ領域の欠陥ブロックに対応する代替ブロックを保存するスペア領域と、前記データ領域の一部に発生した欠陥ブロック及び前記代替ブロックの位置情報を保存する欠陥リスト情報をスペア／欠陥領域に共に位置させるステップを含むことを特徴とするデータ管理方法。
【請求項４６】
前記データ領域の記録方向と前記スペア／欠陥領域の記録方向とが相互逆方向であることを特徴とする請求項４５に記載のデータ管理方法。
【請求項４７】
前記スペア／欠陥領域は、前記データ領域の末端部に配置されることを特徴とする請求項４５に記載のデータ管理方法。
【請求項４８】
前記光記録媒体の前記リードイン領域及び／またはリードアウト領域のうち少なくとも一つに、前記光記録媒体の管理情報を保存するディスク管理情報、及び前記光記録媒体の記録状態を管理する記録管理情報を含むディスク管理情報／記録管理情報領域を記録するステップを含むことを特徴とする請求項４５に記載のデータ管理方法。
【請求項４９】
前記データ領域に欠陥ブロックを代替するための代替ブロックが生成されるたびに、前記欠陥リスト情報をアップデートするステップをさらに含むことを特徴とする請求項４５に記載のデータ管理方法。
【請求項５０】
前記光記録媒体が少なくても二つの記録層を備えるとき、前記光記録媒体のリードイン領域、リードアウト領域及び中間領域のうち少なくとも一つに、前記光記録媒体の管理情報を保存するディスク管理情報、及び前記光記録媒体の記録状態を管理する記録管理情報を含むディスク管理情報／記録管理情報領域を記録するステップを含むことを特徴とする請求項４５に記載のデータ管理方法。
【発明の詳細な説明】
【技術分野】
【０００１】
本発明は、ディスク分野に係り、さらに具体的には、光記録情報記録媒体、記録／再生装置、記録／再生方法及びその方法を行うプログラムが記録されたコンピュータで読み取り可能な記録媒体に関する。
【背景技術】
【０００２】
欠陥管理とは、ユーザデータ領域に記録したユーザデータに欠陥が発生したとき、欠陥が発生した部分に記録されたユーザデータを再記録して、欠陥発生によるデータ損失を補充する過程を意味する。従来、欠陥管理は、線形置換を利用した欠陥管理方法と、飛ばしを利用した欠陥管理方法とに大別される。線形置換とは、ユーザデータ領域に欠陥が発生すれば、この欠陥領域を、スペア領域の欠陥が発生していない領域に置換することを言う。飛ばしとは、欠陥が発生した領域は使用せずに、“飛ばした”後、欠陥が発生していない領域を順次に使用することを言う。
【０００３】
線形置換の場合に、ユーザデータ領域に欠陥が発生したブロックを欠陥ブロックと言い、このような欠陥ブロックを代替するための代替ブロックのための空間であるスペア領域が、ディスクの所定部分に設けられる。ディスクでリードイン、中間領域、リードアウトに割り当てられた領域は、ディスクの製造時に規格が定める通りに割り当てられるが、代替ブロックのためのスペア領域は、ディスクの使用のための初期化時点にその割り当て如何が決定される。
【０００４】
一方、このような欠陥管理を行う追記型ディスクである場合に、記録されたデータを削除して再記録するか、または上書きできないという追記型ディスク自体の特性により、データを記録するためのディスク空間を効率的に管理することが要求される。
【発明の開示】
【発明が解決しようとする課題】
【０００５】
本発明は、欠陥管理が行われるディスクのディスク空間を効率的に管理できる光ディスク、記録／再生装置、記録／再生方法及びその方法を行うプログラムが記録されたコンピュータで読み取り可能な記録媒体を提供することを目的とする。
【課題を解決するための手段】
【０００６】
前記課題を解決するための本発明の一つの特徴は、単一記録層光ディスクにおいて、前記光ディスクには、リードイン領域、データ領域及びリードアウト領域が設けられ、前記データ領域は、前記データ領域に発生した欠陥に関する情報に対応する欠陥リスト（Ｄｅｆｅｃｔ  Ｌｉｓｔ：ＤＬ）を記録するためのＤＬ領域を備え、前記リードイン領域またはリードアウト領域は、ディスクを管理するためのディスク定義構造（ディスクディフィニションストラクチャ：ＤＤＳ）と、前記ディスクに記録されたデータの記録状態を管理するための記録管理データ（レコーディングマネージメントデータ：ＲＭＤ）とを記録するためのＤＤＳ／ＲＭＤ領域を備える。
【０００７】
本発明の他の特徴は、二重記録層光ディスクにおいて、前記光ディスクは、リードイン領域、データ領域、中間領域及びリードアウト領域が設けられ、前記データ領域は、欠陥に関する情報に対応するＤＬを記録するためのＤＬ領域を備え、前記リードイン領域または中間領域またはリードアウト領域は、ディスクを管理するためのＤＤＳと、前記ディスクに記録されたデータの記録状態を管理するためのＲＭＤとを記録するためのＤＤＳ／ＲＭＤ領域を備える。
【０００８】
本発明のさらに他の特徴は、光ディスクにおいて、前記光ディスクは、リードイン領域、データ領域及びリードアウト領域が設けられ、前記データ領域は、前記データ領域に発生した欠陥に関する欠陥ブロックを代替するための代替ブロック、及び前記欠陥に関する情報に対応するＤＬを記録するためのＳＡ（Ｓｐａｒｅ  Ａｒｅａ）／ＤＬ領域を備えることである。
【０００９】
前記ＳＡ／ＤＬ領域で、前記代替ブロックを記録するための領域は固定されておらず、前記代替ブロックを記録する時点に、前記ＳＡ／ＤＬ領域内の記録可能な領域に順次に割り当てられることが望ましい。また、前記ＳＡ／ＤＬ領域で、前記ＤＬを記録するための領域は固定されておらず、前記ＤＬを記録する時点に、前記ＳＡ／ＤＬ領域内の記録可能な領域に順次に割り当てられることが望ましい。
【００１０】
また、前記ＳＡ／ＤＬ領域は、前記データ領域の先頭の部分または末端部に割り当てられることが望ましい。
【００１１】
また、前記光ディスクは、前記リードイン領域またはリードアウト領域は、ディスクを管理するためのＤＤＳと、前記ディスクに記録されたデータの記録状態を管理するためのＲＭＤとを備えるＤＤＳ／ＲＭＤブロックを記録するためのＤＤＳ／ＲＭＤ領域をさらに含むことが望ましい。
【００１２】
前記ＤＤＳは、前記ＳＡ／ＤＬ領域内の次の記録可能な位置情報を含むことが望ましい。
【００１３】
また、前記ＤＤＳ／ＲＭＤブロックは、ディスクの記録状態に対応して前記ＤＤＳ／ＲＭＤ領域内でアップデートされ、前記アップデートされるＤＤＳ／ＲＭＤブロックは。前記ＤＤＳ／ＲＭＤ領域に順次に位置されることが望ましい。
【００１４】
また、前記ＤＤＳ／ＲＭＤ領域に記録される第一ＤＤＳは、前記データ領域に割り当てられた前記ＳＡ／ＤＬ領域の位置情報と、前記リードイン領域またはリードアウト領域に割り当てられたＤＤＳ／ＲＭＤ領域の位置情報とを含むことが望ましい。
【００１５】
本発明のさらに他の特徴は、光ディスクにデータを記録／再生する装置において、リードイン領域、データ領域及びリードアウト領域が設けられた単一記録層ディスクに／からデータを記録／再生する記録／再生部と、前記データ領域に発生した欠陥に関する情報に対応するＤＬを、前記データ領域の一部に設けられたＤＬ領域に記録し、ディスクを管理するためのＤＤＳと、前記ディスクに記録されたデータの記録状態を管理するためのＲＭＤとを、前記リードイン領域またはリードアウト領域に設けられたＤＤＳ／ＲＭＤ領域に記録するように、前記記録／再生部を制御する制御部とを備える。
【００１６】
本発明のさらに他の特徴は、光ディスクにデータを記録／再生する装置において、リードイン領域、データ領域、中間領域及びリードアウト領域が設けられた二重記録層ディスクに／からデータを記録／再生する記録／再生部と、前記データ領域に発生した欠陥に関する情報に対応するＤＬを、前記データ領域に設けられたＤＬ領域に記録し、ディスクを管理するためのＤＤＳと、前記ディスクに記録されたデータの記録状態を管理するためのＲＭＤとを、前記リードイン領域または中間領域またはリードアウト英駅に設けられたＤＤＳ／ＲＭＤ領域に記録するように、前記記録／再生部を制御する制御部とを備える。
【００１７】
本発明のさらに他の特徴は、光ディスクにデータを記録／再生する装置において、リードイン領域、データ領域及びリードアウト領域が設けられたディスクに／からデータを記録／再生する記録／再生部と、前記データ領域に発生した欠陥に関する欠陥ブロックを代替するための代替ブロック及び前記欠陥に関する情報に対応するＤＬを、前記データ領域に設けられたＳＡ／ＤＬ領域に記録するように、前記記録／再生部を制御する制御部とを備える。
【００１８】
本発明のさらに他の特徴は、光ディスクにデータを記録する方法において、リードイン領域、データ領域及びリードアウト領域が設けられた単一記録層光ディスクの前記データ領域に発生した欠陥に関する情報に対応するＤＬを、前記データ領域の一部に設けられたＤＬ領域に記録するステップと、ディスクを管理するためのＤＤＳと、前記ディスクに記録されたデータの記録状態を管理するためのＲＭＤとを、前記リードイン領域またはリードアウト領域に設けられたＤＤＳ／ＲＭＤ領域に記録するステップとを含む。
【００１９】
本発明のさらに他の特徴は、光ディスクにデータを記録する方法において、リードイン領域、データ領域、中間領域及びリードアウト領域が設けられた二重記録層ディスクの前記データ領域に発生した欠陥に関する情報に対応するＤＬを、前記データ領域に設けられたＤＬ領域に記録するステップと、ディスクを管理するためのＤＤＳと、前記ディスクに記録されたデータの記録状態を管理するためのＲＭＤと、を前記リードイン領域または中間領域またはリードアウト領域に設けられたＤＤＳ／ＲＭＤ領域に記録するステップとを含む。
【００２０】
本発明のさらに他の特徴は、光ディスクにデータを記録する方法において、リードイン領域、データ領域及びリードアウト領域が設けられた光ディスクの前記データ領域に発生した欠陥に関する欠陥ブロックを代替するための代替ブロック及び前記欠陥に関する情報に対応するＤＬを、前記データ領域に設けられたＳＡ／ＤＬ領域に記録するステップを含む。
【００２１】
本発明のさらに他の特徴は、光ディスクからデータを再生する方法において、リードイン領域、データ領域及びリードアウト領域が設けられた単一記録層光ディスクの前記データ領域に発生した欠陥に関する情報に対応するＤＬを、前記データ領域の一部に設けられたＤＬ領域から読み込むステップと、ディスクを管理するためのＤＤＳと、前記ディスクに記録されたデータの記録状態を管理するためのＲＭＤとを、前記リードイン領域またはリードアウト領域に設けられたＤＤＳ／ＲＭＤ領域から読み込むステップとを含む。
【００２２】
本発明のさらに他の特徴は、光ディスクからデータを再生する方法において、リードイン領域、データ領域、中間領域及びリードアウト領域が設けられた二重記録層ディスクの前記データ領域に発生した欠陥に関する情報に対応するＤＬを、前記データ領域に設けられたＤＬ領域から読み込むステップと、ディスクを管理するためのＤＤＳと、前記ディスクに記録されたデータの記録状態を管理するためのＲＭＤとを、前記リードイン領域または中間領域またはリードアウト領域に設けられたＤＤＳ／ＲＭＤ領域から読み込むステップとを含む。
【００２３】
本発明のさらに他の特徴は、光ディスクからデータを再生する方法において、リードイン領域、データ領域及びリードアウト領域が設けられた光ディスクの前記データ領域に発生した欠陥に関する欠陥ブロックを代替するための代替ブロック及び前記欠陥に関する情報に対応するＤＬを、前記データ領域に設けられたＳＡ／ＤＬ領域から読み込むステップを含む。
【００２４】
本発明のさらに他の特徴は、光ディスクにデータを記録する方法を行うプログラムが記録されたコンピュータで読み取り可能な記録媒体において、前記記録方法は、リードイン領域、データ領域及びリードアウト領域が設けられた単一記録層光ディスクの前記データ領域に発生した欠陥に関する情報に対応するＤＬを、前記データ領域の一部に設けられたＤＬ領域に記録するステップと、ディスクを管理するためのＤＤＳと、前記ディスクに記録されたデータの記録状態を管理するためのＲＭＤとを、前記リードイン領域またはリードアウト領域に設けられたＤＤＳ／ＲＭＤ領域に記録するステップとを含む。
【００２５】
本発明のさらに他の特徴は、光ディスクからデータを再生する方法を行うプログラムが記録されたコンピュータで読み取り可能な記録媒体において、前記再生方法は、リードイン領域、データ領域及びリードアウト領域が設けられた単一記録層光ディスクの前記データ領域に発生した欠陥に関する情報に対応するＤＬを、前記データ領域の一部に設けられたＤＬ領域から読み込むステップと、ディスクを管理するためのＤＤＳと、前記ディスクに記録されたデータの記録状態を管理するためのＲＭＤとを、前記リードイン領域またはリードアウト領域に設けられたＤＤＳ／ＲＭＤ領域から読み込むステップとを含む。
【発明の効果】
【００２６】
本発明によれば、欠陥管理が行われるディスクのディスク空間を効率的に管理できる。
【発明を実施するための最良の形態】
【００２７】
以下、添付された図面を参照して本発明を詳細に説明する。
【００２８】
図１は、本発明に係る記録／再生装置の構成の概略的なブロック図である。図１に示すように、前記記録／再生装置は、記録／再生部２及び制御部１を備える。
【００２９】
記録／再生部２は、ピックアップなどを備えて、本発明に係る光記録情報記録媒体のディスク４にデータを記録し、記録されたデータを再生する。
【００３０】
制御部１は、所定のファイルシステムによってディスク４に／からデータを記録／再生するように制御する。本実施形態で、制御部１は、所定単位でデータを記録した後、記録されたデータを検証することによって、欠陥が発生した部分を検索する「記録後検証方式」による。制御部１は、一レコーディングオペレーション単位でユーザデータを記録した後に検証して、欠陥領域がどこに発生したかを検査する。制御部１は、検査結果から分かった欠陥領域がどこであるかを知らせる欠陥情報を生成した後、生成された欠陥情報をメモリ（図示せず）に保存し、所定分量集めて臨時欠陥情報としてディスクに記録する。
【００３１】
レコーディングオペレーションとは、ユーザの意思、行おうとする記録作業などによって決定される作業単位であって、本実施形態では、ディスクが記録装置にローディングされて、所定データの記録作業が行われた後、ディスクが取り出されるまでを表す。一レコーディングオペレーションの間に記録後検証作業は、少なくとも１回、通常、複数回行われる。記録後検証作業の実行結果から得られた臨時欠陥情報は、メモリに一時保存される。
【００３２】
ユーザが所定データの記録作業を完了した後にディスクを取り出すために、記録装置に設けられたイジェクトボタン（図示せず）を押せば、制御部１は、一レコーディングオペレーションが終了することを予測する。レコーディングオペレーションが終了することが予測されれば、制御部１は、メモリに保存された臨時欠陥情報を読み込んで記録／再生部２に提供して、それらの情報をディスクに記録することを命令する。
【００３３】
制御部１は、システム制御器１０と、ホストＩ／Ｆ  ２０と、ＤＳＰ  ３０と、ＲＦＡＭＰ  ４０と、サーボ５０とを備える。
【００３４】
記録時、ホストＩ／Ｆ  ２０は、ホスト3から所定の記録命令を受信して、これをシステム制御器１０に伝送する。システム制御器１０は、このようなホストＩ／Ｆ  ２０から受信された記録命令を行うために、ＤＳＰ  ３０及びサーボ５０を制御する。ＤＳＰ  ３０は、ホストＩ／Ｆ  ２０から受けた記録するデータをエラー訂正のために、パリティなどの付加データを添加し、ＥＣＣエンコーディングを行って、エラー訂正ブロックのＥＣＣブロックを生成した後、これを所定の方式で変調する。ＲＦＡＭＰ  ４０は、ＤＳＰ  ３０から出力されたデータをＲＦ信号に変える。ピックアップを備えた記録／再生部２は、ＲＦＡＭＰ  ４０から伝送されたＲＦ信号をディスク４に記録する。サーボ５０は、システム制御器１０からサーボ制御に必要な命令を入力されて、記録／再生部２のピックアップをサーボ制御する。
【００３５】
特に、本発明によって、システム制御器１０は、効率的なディスク管理及び欠陥管理を行うためにディスク管理部１１を備える。
【００３６】
本発明の一例によって、ディスク４が、リードイン領域、データ領域及びリードアウト領域が連続的に設けられた単一記録層光ディスクである場合、ディスク管理部１１は、データ領域に発生した欠陥に関する情報に対応するＤＬを、前記データ領域の一部に設けられたＤＬ領域に記録し、ディスクを管理するためのＤＤＳ及び前記ディスクに記録されたデータの記録状態を管理するためのＲＭＤを、前記リードイン領域またはリードアウト領域に設けられたＤＤＳ／ＲＭＤ領域に記録するように記録／再生部２を制御する。
【００３７】
本発明の他の例によって、ディスク４が、リードイン領域、データ領域、中間領域及びリードアウト領域が連続的に設けられた二重記録層光ディスクである場合、ディスク管理部１１は、データ領域に発生した欠陥に関する情報に対応するＤＬを、前記データ領域に設けられたＤＬ領域に記録し、ディスクを管理するためのＤＤＳ及び前記ディスクに記録されたデータの記録状態を管理するためのＲＭＤを、前記リードイン領域または中間領域またはリードアウト領域に設けられたＤＤＳ／ＲＭＤ領域に記録するように前記記録／再生部を制御する。
【００３８】
本発明のさらに他の例によって、ディスク管理部１１は、リードイン領域、データ領域及びリードアウト領域が設けられた光ディスク４のデータ領域に発生した欠陥に関する欠陥ブロックを代替するための代替ブロック及びＤＬを、前記データ領域に設けられたＳＡ／ＤＬ領域に記録するように前記記録／再生部を制御する。このとき、ディスク管理部１１は、前記代替ブロックを記録する時点に、前記ＳＡ／ＤＬ領域内の記録可能な領域に前記代替ブロックを順次に記録させ、また、前記ＤＬを記録する時点に、前記ＳＡ／ＤＬ領域内の記録可能な領域に前記ＤＬを順次に記録するように、前記記録／再生部を制御する。
【００３９】
また、ディスク管理部１１は、ディスクを管理するためのＤＤＳと、前記ディスクに記録されたデータの記録状態を管理するためのＲＭＤとを備えるＤＤＳ／ＲＭＤブロックを、ディスクのリードイン領域またはリードアウト領域に設けられたＤＤＳ／ＲＭＤ領域に記録するように、前記記録／再生部を制御する。ディスク管理部１１は、ＤＤＳ／ＲＭＤ領域の先頭の位置に記録される第一のＤＤＳ／ＲＭＤブロックには、データ領域に設けられた前記ＳＡ／ＤＬ領域の位置情報と、前記リードイン領域またはリードアウト領域に設けられたＤＤＳ／ＲＭＤ領域の位置情報とを記録するように、記録／再生部を制御し、第二のＤＤＳ／ＲＭＤブロックからは、ディスクの記録状態によってアップデートされる情報をＤＤＳ／ＲＭＤブロックに挿入して、ＤＤＳ／ＲＭＤ領域に順次に記録するように記録／再生部２を制御し、また、このようなアップデートされる情報は、ＳＡ／ＤＬ領域内の次に記録可能な位置情報を含む。
【００４０】
また、ディスク管理部１１は、前記ＳＡ／ＤＬ領域を前記データ領域の最初の部分または最後の部分に割り当てるように、前記記録／再生部を制御する。
【００４１】
再生時、ホストＩ／Ｆ  ２０は、ホスト3から再生命令を受ける。システム制御器１０は、再生に必要な初期化を行う。記録／再生部２は、ディスク４にレーザビームを照射して、ディスク４から繰り返されたレーザビームを受光して得られた光信号を出力する。ＲＦＡＭＰ  ４０は、記録／再生部２から出力された光信号をＲＦ信号に変えて、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調して、ＥＣＣエラー訂正を経て得られたデータを出力する。一方、サーボ５０は、ＲＦＡＭＰ  ４０から受けたサーボ信号と、システム制御器１０から受けたサーボ制御に必要な命令とを受けて、ピックアップに対するサーボ制御を行う。ホストＩ／Ｆ  ２０は、ＤＳＰ  ３０から受けたデータをホストに送る。システム制御器１０は、再生制御のためにＤＤＳや欠陥に関する情報をディスクから読み込んで、欠陥のないデータが記録された位置からデータを読み込むようにサーボを制御する。
【００４２】
特に、本発明の一例によって、ディスクが、リードイン領域、データ領域及びリードアウト領域が設けられた単一記録層光ディスクである場合、ディスク管理部１１は、光ディスクの前記データ領域に発生した欠陥に関する情報に対応するＤＬを、前記データ領域の一部に設けられたＤＬ領域から読み込み、ディスクを管理するためのＤＤＳと、前記ディスクに記録されたデータの記録状態を管理するためのＲＭＤとを、前記リードイン領域またはリードアウト領域に設けられたＤＤＳ／ＲＭＤ領域から読み込むように制御する。
【００４３】
本発明の他の例によって、ディスクが、リードイン領域、データ領域、中間領域及びリードアウト領域が設けられた二重記録層ディスクである場合、ディスク管理部１１は、ディスクの前記データ領域に発生した欠陥に関する情報に対応するＤＬを、前記データ領域に設けられたＤＬ領域から読み込み、ディスクを管理するためのＤＤＳと、前記ディスクに記録されたデータの記録状態を管理するためのＲＭＤとを、前記リードイン領域または中間領域またはリードアウト領域に設けられたＤＤＳ／ＲＭＤ領域から読み込むように制御する。
【００４４】
また、本発明の他の例によって、ディスク管理部１１は、リードイン領域、データ領域及びリードアウト領域が設けられた光ディスクの前記データ領域に発生した欠陥に関する欠陥ブロックを代替するための代替ブロック、及び前記欠陥に関する情報に対応するＤＬを、前記データ領域に設けられたＳＡ／ＤＬ領域から読み込むように制御する。
【００４５】
また、ディスク管理部１１は、データ領域に設けられた前記ＳＡ／ＤＬ領域の位置情報と、前記リードイン領域またはリードアウト領域に設けられたＤＤＳ／ＲＭＤ領域の位置情報とを、前記ディスクの前記ＤＤＳ／ＲＭＤ領域の先頭の位置に記録されたＤＤＳ／ＲＭＤブロックから読み込むように制御する。
【００４６】
図１に示す記録／再生装置は、個別的な記録または再生装置で具現されてもよく、または一つの記録及び再生装置で具現されてもよい。
【００４７】
以下で、本発明に係る光記録情報記録媒体の構造を説明する。
【００４８】
本発明に係る光記録情報記録媒体に記録されるディスク管理情報（ディスクマネージメントインフォメーション：ＤＭＩ）は、ディスク定義構造（ディスクディフィニションストラクチャ：ＤＤＳ）、記録管理データ（レコーディングマネージメントデータ：ＲＭＤ）、ＤＬからなる。ＤＤＳを記録するためのディスク管理情報領域（ディスクマネージメントエリア：ＤＭＡ）は、大きく、ディスクを使用する間に前記ディスクを管理するための情報である臨時ディスク管理情報を記録するための臨時ディスク管理領域（テンポラリーディスクマネージメントエリア：ＴＤＭＡ）と、最終化されたディスク管理情報を記録するための最終ディスク管理領域（ファイナライズドディスクマネージメントエリア：ＦＤＭＡ）とから構成される。
【００４９】
ディスクを使用する間に、ＤＭＩを臨時的に記録するためのＴＤＭＡは、ＤＤＳ及びＲＭＤを記録するためのＤＤＳ／ＲＭＤ領域と、ＤＬを記録するためのＤＬ領域とを備える。
【００５０】
前記ＤＤＳは、前記ＴＤＭＡの位置情報やＤＤＳの位置情報を含む。すなわち、前記ＤＤＳは、データ領域内に記録されたデータブロックに欠陥が発生した場合、その欠陥に関する欠陥ブロックを代替する代替ブロックと、ＤＬが記録されるＳＡ／ＤＬ領域の位置情報、ＤＤＳ／ＲＭＤ領域の位置情報、ＤＬが記録された位置情報、ＳＡ／ＤＬ領域内で代替またはＤＬのアップデートのために使用可能な位置情報、以前使用中にディスクが正常にイジェクトされたかを検査するための一致フラグ、記録防止のための記録防止情報などを含む。
【００５１】
前記ＲＭＤは、ディスクに記録されたデータの管理のための情報である。すなわち、前記ＲＭＤは、シーケンシャルレコーディングモードで、それぞれのＲ−ゾーンに対する状態を表すＲ−ゾーンエントリと、ランダムレコーディングモードのために、ユーザ領域のそれぞれの記録単位ブロックに対するデータの記録有無をビット値で表したビットマップとを備える。
【００５２】
このようなＤＤＳ及びＲＭＤを記録するためのＤＤＳ／ＲＭＤ領域は、単一記録層ディスクで、リードイン領域またはリードアウト領域に設けられ、二重記録層で、リードイン領域または中間領域またはリードアウト領域に設けられる。また、ディスク使用のための初期化時点に、ドライブ製作者やユーザの意図によって、ＤＤＳ／ＲＭＤブロックのアップデート可能回数を増加させるために、データ領域の一部にＤＤＳ／ＲＭＤ領域が割り当てられてもよい。
【００５３】
前記ＤＬは、データの記録や再生中に発生した欠陥ブロックの位置に関する情報と、その欠陥ブロックを代替する代替ブロックの位置に関する情報とを含む。このようなＤＬが記録されるＤＬ領域は、固定されて定められたものではなく、ドライブによる欠陥管理のために、データ領域内に割り当てられたＳＡ／ＤＬ領域にそのアップデートが要求される度に割り当てられる。従来から、欠陥ブロックを代替する代替ブロックを記録するために、ディスクの所定領域にスペア領域が設けられるが、本発明では、このようなスペア領域に代替ブロックだけでなく、欠陥に関する情報、すなわち、欠陥ブロック及び代替ブロックの位置に関する情報を含むＤＬまで記録し、このように、代替ブロック及びＤＬが記録される領域を、本発明ではＳＡ／ＤＬ領域と称す。
【００５４】
ディスクにデータをそれ以上記録できないか、またはユーザが追加的なデータの記録なしに現在のディスク状態をそのまま維持し、再生専用としてのみ使用したい場合、ディスクは最終化されるが、このとき、最終化されたＤＭＩは、ＦＤＭＡに記録される。
【００５５】
ＰＣＡ（Ｐｏｗｅｒ  Ｃａｌｉｂｒａｔｉｏｎ  Ａｒｅａ）は、記録方法による多様アン記録パワーでテストして、最適の記録パワー及びその記録方法による変数を検索可能にするテストのために設けられた領域である。
【００５６】
図２Ａは、本発明に係る単一記録層ディスクのディスク構造図の第１例を表す。図２Ａに示すように、ディスクは、ディスクの半径方向に内周にはリードイン領域があり、外周にはリードアウト領域があり、中央にはデータ領域が設けられる。
【００５７】
リードイン領域は、ＰＣＡ＃０、ＦＤＭＡ＃１、ＦＤＭＡ＃２及びＤＤＳ／ＲＭＤ領域＃０を備え、データ領域は、ユーザ領域、ＳＡ／ＤＬ領域＃０及びＳＡ／ＤＬ領域＃１を備え、リードアウト領域は、ＰＣＡ＃１、ＦＤＭＡ＃３、ＦＤＭＡ＃４及びＤＤＳ／ＲＭＤ領域＃１を備える。
【００５８】
図２Ｂは、本発明に係る単一記録層ディスクのディスク構造図の第２例を表す。図２Ｂに示すように、リードイン領域は、ＦＤＭＡ＃１、ＦＤＭＡ＃２及びＤＤＳ／ＲＭＤ領域＃０を備え、データ領域は、ユーザ領域、ＳＡ／ＤＬ領域＃０及びＳＡ／ＤＬ領域＃１を備え、リードアウト領域は、ＰＣＡ、ＦＤＭＡ＃３  及びＦＤＭＡ＃４を備える。
【００５９】
図３Ａは、本発明に係る二重記録層ＯＴＰにおいて、ディスク構造図の第３例を示す。図３Ａに示すように、一つの記録層Ｌ０にリードイン領域、データ領域＃０、中間領域＃０が設けられ、他の記録層Ｌ１に、中間領域＃１、データ領域＃１、リードアウト領域が連続的に設けられる。
【００６０】
Ｌ０層のリードイン領域は、ＰＣＡ＃０、ＦＤＭＡ＃２、ＤＤＳ／ＲＭＤ領域＃０及びＦＤＭＡ＃１を備え、データ領域は、ＳＡ／ＤＬ領域＃０及びユーザ領域＃０を備え、中間領域＃０は、ＦＤＭＡ＃３、ＤＤＳ／ＲＭＤ領域＃２、ＦＤＭＡ＃４及びＰＣＡ＃１を備える。Ｌ１層の中間領域＃１は、ＦＤＭＡ＃３、ＤＤＳ／ＲＭＤ領域＃３、ＦＤＭＡ＃４及びＰＣＡ＃３を備え、データ領域＃１は、ＳＡ／ＤＬ領域＃１及びユーザ領域＃１を備え、リードアウト領域は、ＰＣＡ＃２、ＦＤＭＡ＃２、ＤＤＳ／ＲＭＤ領域＃１及びＦＤＭＡ＃１を備える。
【００６１】
図３Ｂは、本発明に係る二重記録層ＰＴＰにおいて、ディスク構造図の第４例を示す。図３Ｂに示すように、一つの記録層Ｌ０に、リードイン領域、データ領域＃０及び中間領域＃０が設けられ、他の記録層Ｌ１に、中間領域＃１、データ領域＃１及びリードアウト領域が連続的に設けられる。
【００６２】
Ｌ０層のリードイン領域は、ＰＣＡ＃０、ＦＤＭＡ＃２、ＤＤＳ／ＲＭＤ領域＃０及びＦＤＭＡ＃１を備え、データ領域は、ＳＡ／ＤＬ領域＃０及びユーザ領域＃０を備え、中間領域＃０はＦＤＭＡ＃３、ＤＤＳ／ＲＭＤ領域＃２、ＦＤＭＡ＃４及びＰＣＡ＃１を含む。Ｌ１層のリードアウト領域は、ＦＤＭＡ＃３、ＤＤＳ／ＲＭＤ領域＃３、ＦＤＭＡ＃４、ＰＣＡ＃３を備え、データ領域＃１は、ＳＡ／ＤＬ領域＃１及びユーザ領域＃１を備え、中間領域＃１は、ＰＣＡ＃２、ＦＤＭＡ＃２、ＤＤＳ／ＲＭＤ領域＃１及びＦＤＭＡ＃１を備える。
【００６３】
図３Ｃは、本発明に係る二重記録層ＯＴＰにおいて、ディスク構造図の第５例を示す。図３Ｃに示すように、一つの記録層Ｌ０に、リードイン領域、データ領域＃０及び中間領域＃０が設けられ、他の記録層Ｌ１には、中間領域＃１、データ領域＃１及びリードアウト領域が連続的に設けられる。
【００６４】
Ｌ０層のリードイン領域は、ＦＤＭＡ＃２、ＤＤＳ／ＲＭＤ領域＃０及びＦＤＭＡ＃１を備え、データ領域は、ＳＡ／ＤＬ領域＃０及びユーザ領域＃０を備え、中間領域＃０は、ＦＤＭＡ＃３、ＰＣＡ＃０及びＦＤＭＡ＃４を備える。Ｌ１層の中間領域＃１は、ＦＤＭＡ＃７、ＰＣＡ＃２及びＦＤＭＡ＃８を備え、データ領域＃１は、ＳＡ／ＤＬ領域＃１及びユーザ領域＃１を備え、リードアウト領域は、ＰＣＡ＃１、ＦＤＭＡ＃６、ＤＤＳ／ＲＭＤ領域＃１及びＦＤＭＡ＃５を備える。
【００６５】
図３Ｄは、本発明に係る二重記録層ＰＴＰにおいて、ディスク構造図の第６例を表す。図３Ｄに示すように、一つの記録層Ｌ０に、リードイン領域、データ領域＃０及び中間領域＃０が設けられ、他の記録層Ｌ１に、中間領域＃１、データ領域＃１及びリードアウト領域が連続的に設けられる。
【００６６】
Ｌ０層のリードイン領域は、ＦＤＭＡ＃２、ＤＤＳ／ＲＭＤ領域＃０及びＦＤＭＡ＃１を備え、データ領域は、ＳＡ／ＤＬ領域＃０及びユーザ領域＃０を備え、中間領域＃０は、ＦＤＭＡ＃３、ＰＣＡ＃０及びＦＤＭＡ＃４を含む。Ｌ１層の中間領域＃１は、ＰＣＡ＃１、ＦＤＭＡ＃６、ＤＤＳ／ＲＭＤ領域＃１及びＦＤＭＡ＃５を備え、データ領域＃１は、ＳＡ／ＤＬ領域＃１及びユーザ領域＃１を備え、リードアウト領域は、ＦＤＭＡ＃７、ＰＣＡ＃２及びＦＤＭＡ＃８を備える。
【００６７】
図２Ａないし図３Ｄに示すようなディスク構造に設けられたＴＤＭＡをさらに具体的に説明する。図２Ａないし図３Ｄに示すように、ＳＡ／ＤＬ領域は、単一記録層ディスクや二重記録層ディスクで、データ領域の一部に設けられる。
【００６８】
前述したように、ＳＡ／ＤＬ領域は、欠陥ブロックを代替する代替ブロック及び欠陥に関する情報、すなわち、欠陥ブロックの位置情報及び代替ブロックの位置情報を含むＤＬを記録するための領域である。ユーザ領域で欠陥が発生して、その欠陥ブロックを代替すれば、それにより、その欠陥ブロックの位置情報及び代替ブロックの位置情報も記録する必要がある。それで初めて、以後にホストからその欠陥ブロックの位置でデータを読み込めよという命令が与えられれば、ドライブは、その欠陥ブロックを代替する代替ブロックの位置を検索し、その位置で欠陥のないデータを読み込めるためである。
【００６９】
このように、代替ブロック及びＤＬは、密接な関係にあるため、通常的に、共にアップデートされる場合が多い。したがって、代替ブロックを記録するための空間と、ＤＬを記録するための空間とを別途に設けることよりは、本発明と同様に、一つの空間を設け、代替ブロックを記録すべき時点に、その一つの空間で使用可能な位置、すなわち、記録可能な位置に代替ブロックを記録し、また、ＤＬを記録すべき時点に、その一つの空間で記録可能な位置にＤＬを記録することが有利である。これにより、代替ブロック及びＤＬを記録するために、ヘッドが相異なる二つの空間を往復する必要がなくなって、シーク動作による手間を低減し、また、ディスク空間を効率的に利用できる。
【００７０】
一方、リードイン領域、中間領域、リードアウト領域に割り当てられた領域は、ディスクの製造時に規格が定める通りに既に割り当てられる。しかし、ＳＡ／ＤＬ領域は、ディスク使用のための初期化時点に、その割り当て如何が決定されるが、これは、ＳＡ／ＤＬ領域の用途が欠陥の発生による代替ブロック及びＤＬを記録するためのものであるので、ディスクを使用する前にあらかじめ必要な領域の大きさを予測し難いためである。したがって、一定の程度の領域を確保するために、ＳＡ／ＤＬ領域＃０は、ディスクの製造時に規格が定める通りに割り当てられ、ＳＡ／ＤＬ領域＃１は、ディスクの使用のための初期化時点にドライブ製作者やユーザの選択によって、またはディスクの使用中にＳＡ／ＤＬ領域＃０が全て消尽される場合を含めて、その必要性が台頭されるとき、ドライブ製作者やユーザの選択によって、データ領域の末端部に割り当てられうる。また、データ領域の末端部に割り当てられるＳＡ／ＤＬ領域＃１でのデータ記録方向を、ユーザ領域でのデータ記録方向と逆にし、また、これによって、ユーザ領域の先頭の方向に拡張を容易にすることが望ましい。これにより、ディスクをさらに効率的に使用できる。
【００７１】
ＤＤＳ／ＲＭＤ領域は、単一記録層ディスクでリードイン領域やリードアウト領域、二重記録層ディスクでリードイン領域やリードアウト領域または中間領域に設けられる。
【００７２】
前述したように、ＤＤＳは、前記ＴＤＭＡの位置情報やＤＭＩの位置情報を含む。ＲＭＤは、ディスクに記録されたデータの管理のための情報であって、ユーザ領域にデータを順次に記録するシーケンシャルレコーディングモードでは、それぞれのＲ−ゾーンについての状態情報を表し、ユーザ領域にデータを任意的に記録するランダムレコーディングモードでは、ユーザ領域のそれぞれの記録単位ブロックに対するデータの記録有無状態情報を表す。
【００７３】
図４は、本発明に係るＳＡ／ＤＬ領域のデータ構造図である。図４に示すように、ＳＡ／ＤＬ領域は、ＤＬ＃０、代替ブロック＃１、代替ブロック＃２、ＤＬ＃１、代替ブロック＃３、代替ブロック＃４、代替ブロック＃５及びＤＬ＃２を備える。
【００７４】
ＤＬ＃０は、初期化情報などを含みうる。以後、レコーディングオペレーション＃０で欠陥＃１及び欠陥＃２が発生して、欠陥ブロック＃１、欠陥ブロック＃２をそれぞれ代替する代替ブロック＃１と、代替ブロック＃２が、ＤＬ＃０が記録された位置の次の記録可能な位置から記録され、また、このような欠陥＃１に関する情報及び欠陥＃２に関する情報を含むＤＬ＃１が、代替ブロック＃２が記録された位置の次の記録可能な位置に記録される。そして、レコーディングオペレーション＃１で、欠陥＃３、欠陥＃４及び欠陥＃５が発生して、欠陥ブロック＃３、欠陥ブロック＃４及び欠陥ブロック＃５をそれぞれ代替する代替ブロック＃３、代替ブロック＃４及び代替ブロック＃５が、ＤＬ＃１が記録された位置の次の記録可能な位置から記録され、また、このような欠陥＃３に関する情報、欠陥＃４に関する情報及び欠陥＃５に関する情報を含むＤＬ＃２が、代替ブロック＃５が記録された位置の次の記録可能な位置に記録される。
【００７５】
このように、本発明に係るＳＡ／ＤＬ領域には、代替ブロックやＤＬが記録される時点に、ＳＡ／ＤＬ領域での記録可能な位置に順次に記録される。
【００７６】
図５は、図４に示すＤＬ＃ｉのデータ構造図である。図５に示すように、ＤＬ＃ｉは、一つ以上の欠陥に関する情報、すなわち、欠陥＃０に関する情報及び欠陥＃１に関する情報を含む。一つの欠陥＃ｉに関する情報が、一つの欠陥ブロック及びこれを代替する代替ブロックに関する情報に対応する。このような欠陥＃ｉに関する情報が、図６に示されている。
【００７７】
図６は、図５に示す欠陥＃ｉに関する情報のデータ構造図である。図６に示すように、欠陥＃ｉに関する情報は、欠陥ブロック＃ｉの位置情報及び代替ブロック＃ｉの位置情報を含む。例えば、欠陥ブロック＃ｉの位置情報は、欠陥ブロック＃ｉの物理的なセクタ番号などであり、代替ブロック＃ｉの位置情報は、代替ブロック＃ｉの物理的なセクタ番号などでありうる。また、図６には示されてはいないが、欠陥＃ｉに関する情報は、欠陥ブロック＃ｉの位置情報及び代替ブロック＃ｉの位置情報以外に所定の状態情報をさらに含みうる。
【００７８】
図７は、本発明によって、ユーザ領域に発生した欠陥に関する情報をＳＡ／ＤＬ領域に記録する概念を説明するための参考図である。
【００７９】
ここで、データを処理する単位は、セクタ及びクラスタに分けられる。セクタは、コンピュータのファイルシステムやアプリケーションでデータを管理できる最小限の単位を意味し、クラスタは、一度に物理的にディスク上に記録されうる最小限の単位を意味する。一般的に、一つまたはそれ以上のセクタが一つのクラスタを構成する。
【００８０】
セクタは、さらに物理セクタと論理セクタとに分けられる。物理セクタは、ディスク上に一セクタ分量のデータが記録されるための空間を意味する。物理セクタを検索するためのアドレスを、物理セクタ番号（フィジカルセクターナンバー：ＰＳＮ）という。論理セクタは、ファイルシステムや応用プログラムでデータを管理するためのセクタ単位を言い、同様に、論理セクタ番号（ロジカルセクターナンバー：ＬＳＮ）が与えられている。ディスクに／からデータを記録／再生する装置は、記録すべきデータのディスク上の位置を、物理セクタ番号を使用して検索し、データを記録するためのコンピュータまたは応用プログラムでは、データ全体を論理セクタ単位で管理し、データの位置をＬＳＮで管理する。ＬＳＮと物理セクタ番号との関係は、記録／再生装置の制御部が欠陥如何及び記録開始位置などを使用して変換する。
【００８１】
図７に示すように、ユーザ領域及びＳＡ／ＤＬ領域には、物理的セクタ番号が順次に割り当てられた複数個の物理セクタ（図示せず）が存在する。ＬＳＮは、少なくとも一つの物理セクタ単位で付与される。ただし、ＬＳＮは、欠陥が発生したユーザデータ領域に発生した欠陥領域を除き、ＳＡ／ＤＬ領域の代替領域を含めて付与されるので、物理セクタと論理セクタとの大きさが同じであると仮定しても、欠陥領域が発生すれば、ＰＳＮとＬＳＮとが一致しなくなる。
【００８２】
図７に示すように、（１）ないし（７）は、それぞれ記録後検証作業が行われる単位を示す。記録装置は、ユーザデータを区間（１）ほど記録した後、区間（１）の先頭部に戻って、データが良好に記録されたか、それとも欠陥が発生したか否かを確認する。欠陥が発生した部分が発見されれば、その部分を欠陥領域として指定する。これにより、欠陥領域の欠陥＃１が指定される。また、記録装置は、欠陥＃１に記録されたデータをＳＡ／ＤＬ領域に再記録する。欠陥＃１に記録されたデータが再起録された部分は、代替＃１と言う。次に、記録装置は、区間（２）ほどユーザデータを記録した後、さらに区間（２）の先頭部に戻って、データが正常に記録されたか、それとも欠陥が発生したか否かを確認する。欠陥が発生した部分が発見されれば、その部分は、欠陥＃２として指定される。同じ方式で、欠陥＃２に対応する代替＃２が生成される。また、区間（３）で、欠陥領域である欠陥＃３及び代替＃３が生成される。区間（４）では、欠陥が発生した部分が発見されず、欠陥領域が存在しない。
【００８３】
区間（４）まで記録して検証した後、レコーディングオペレーション＃０の終了が予測されれば（ユーザがイジェクトボタンを押すか、またはレコーディングオペレーションに割り当てられたユーザデータ記録が完了すれば）、記録装置は、区間（１）ないし（４）で発生した欠陥＃１、＃２、＃３に関する情報を含むＤＬ＃１をＳＡ／ＤＬ領域に記録する。
【００８４】
レコーディングオペレーション＃１が始まれば、区間（５）ないし（７）と同じ方式でデータが記録され、欠陥＃４、＃５及び代替＃４、＃５が生成される。レコーディングオペレーション＃１の終了が予測されれば、記録装置は、欠陥＃４及び＃５に関する情報を含むＤＬ＃２をＳＡ／ＤＬ領域に記録する。
【００８５】
図８は、本発明に係るＤＤＳ／ＲＭＤ領域のデータ構造図である。図８に示すように、ＤＤＳ／ＲＭＤ領域は、ＤＤＳ／ＲＭＤ＃０、ＤＤＳ／ＲＭＤ＃１、・・・ＤＤＳ／ＲＭＤ＃ｎを含む。
【００８６】
ＤＤＳ／ＲＭＤ＃０は、初期化情報などを含み、ＤＤＳ／ＲＭＤ＃１からは、ＤＭＩやディスク管理領域の位置情報と、ディスクに記録されたデータの管理のための情報（ＲＭＤ）とを含む。このようなＤＤＳの位置情報や記録管理のための情報は、ディスクの使用によって変更される情報であるので、ＤＤＳ／ＲＭＤ＃ｉは、それに対応してアップデートされる。このようにアップデートされるＤＤＳ／ＲＭＤ＃ｉは、ＤＤＳ／ＲＭＤ領域でＤＤＳ／ＲＭＤ＃ｉ−１の次の位置に順次に記録される。
【００８７】
また、ディスク上に複数個のＤＤＳ／ＲＭＤ領域が存在する場合、ＤＤＳ／ＲＭＤ領域は、連続的に使用されることが望ましい。すなわち、一つのＤＤＳ／ＲＭＤ領域が全て使用された後、その次のＤＤＳ／ＲＭＤ領域が使用されることが望ましい。図２Ａ及び図２Ｂに示すように、単一記録層ディスクの内周にあるＤＤＳ／ＲＭＤ領域が先に使用され、その次に外周にあるＤＤＳ／ＲＭＤ領域が使用される。そして、図３Ａないし図３Ｄに示すように、二重記録層ディスクの内周のうち、第１記録層Ｌ０にあるＤＤＳ／ＲＭＤ領域が先に使用され、その次に、第二の記録層Ｌ１にある領域が使用される。すなわち、ＤＤＳ／ＲＭＤ領域の使用順序は、ＤＤＳ／ＲＭＤ領域＃０→ＤＤＳ／ＲＭＤ領域＃１→ＤＤＳ／ＲＭＤ領域＃２→ＤＤＳ／ＲＭＤ領域＃３の通りである。このように、複数個のＤＤＳ／ＲＭＤ領域の使用順序を一定に定めることによって、そして、各ＤＤＳ／ＲＭＤ領域内の使用方向を定めることによって、今後ディスクがドライブにローディングされて、ディスクの最終的なＤＤＳ／ＲＭＤをアクセスしようとするとき、前記ＤＤＳ／ＲＭＤ領域の使用順序と、それぞれの領域内での使用順序とに立脚して、最後に記録されたＤＤＳ／ＲＭＤをさらに容易に検索できる。
【００８８】
図９は、図８に示すＤＤＳ／ＲＭＤ＃０のデータ構造図の一例である。ＤＤＳ／ＲＭＤ＃０は、ＤＤＳ／ＲＭＤ領域で最初に記録されるＤＤＳ／ＲＭＤブロックである。図９に示すように、ＤＤＳ／ＲＭＤ＃０は、ＤＤＳ＃０及びＲＭＤ＃０を備え、ＤＤＳ＃０は、ＳＡ／ＤＬ領域の位置情報と、ＤＤＳ／ＲＭＤ領域の位置情報とを含む。
【００８９】
ＳＡ／ＤＬ領域の位置情報は、ディスク使用のための初期化時点でデータ領域に割り当てられたＳＡ／ＤＬ領域の位置情報を表す。
【００９０】
ＤＤＳ／ＲＭＤ領域の位置情報は、ディスク使用のための初期化時点にデータ領域に割り当てられたＤＤＳ／ＲＭＤ領域の位置情報を表す。
【００９１】
図１０は、図８に示すＤＤＳ／ＲＭＤ＃ｉを構成するＤＤＳのデータ構造図の一例である。図１０に示すように、ＤＤＳ／ＲＭＤ＃ｉは、ＤＤＳ＃ｉ及びＲＭＤ＃ｉを含む。ＤＤＳ＃ｉは、ＤＬが記録された位置情報と、ＳＡ／ＤＬ領域内の使用可能な位置情報と、Ｃｏｎｓｉｓｔｅｎｃｙ  ｆｌａｇと、記録防止情報などとを含む。
【００９２】
ＤＬが記録された位置情報は、ＤＬがＳＡ／ＤＬ領域に記録された位置に関する情報を表し、Ｃｏｎｓｉｓｔｅｎｃｙ  ｆｌａｇは、以前ディスクの使用中にディスクが正常にイジェクトされたかを検査するためのフラグであり、記録防止情報は、記録を防止するための情報を表す。
【００９３】
特に、ＳＡ／ＤＬ領域内の使用可能な位置情報は、ＳＡ／ＤＬ領域内で、データが記録されていない次の記録可能な位置を表すものであり、このように、ＳＡ／ＤＬ領域内の使用可能な位置情報を記録することによって、今後代替ブロックを記録するか、またはＤＬをアップデートしようとするとき、ＳＡ／ＤＬ領域の次の使用可能な位置を検索する面倒なしに、このような情報を利用してＳＡ／ＤＬ領域に直ちにデータを記録できる。
【００９４】
図１１は、図８に示すＤＤＳ／ＲＭＤ＃ｉを構成するＲＭＤのデータ構造図の一例である。図１１に示すように、ＤＤＳ／ＲＭＤ＃ｉのＲＭＤ＃ｉは、ＲＭＤ及びＯＰＣ関連の情報を含む。
【００９５】
ＲＭＤは、前述したように、ディスクに記録されたデータの記録管理のための情報であって、記録モードのタイプによって、Ｒ−ゾーンの記録状態情報や記録ブロックの記録有無を表すビットマップを含む。ＲＭＤは、順次記録モードを使用するときにＲ−ゾーンを備え、ランダム記録モードを使用するときにビットマップを備える。ＯＰＣ（Ｏｐｔｉｍｕｍ  Ｐｏｗｅｒ  Ｃｏｎｔｒｏｌ）関連の情報は、ディスクにデータを最適に記録するための最適記録パワーに関連した情報などを含む。
【００９６】
図１２は、本発明によって、光ディスクに／からデータを記録／再生するためのディスク管理方法の過程を表すフローチャートである。図１２に示すように、記録装置は、記録後検証が行われる単位でデータ領域にユーザデータを記録する（１２０１）。次に、前記ステップ１２０１で記録されたデータを検証して、欠陥が発生した部分を検索して、その発生した欠陥に関する欠陥ブロックを代替する代替ブロックを、ディスクのデータ領域の一部に設けられたＳＡ／ＤＬ領域に記録する（１２０２）。このとき、制御部は、代替ブロックを記録する時点で、ＳＡ／ＤＬ領域内でデータが記録されていない位置、すなわち、記録可能な位置に代替ブロックを記録する。
【００９７】
その後、発生した欠陥に関する情報、すなわち、欠陥ブロックの位置情報及び代替ブロックの位置情報を生成してメモリに保存する（１２０３）。レコーディングオペレーションの終了が予測されるまで、前記ステップ１２０１ないしステップ１２０３を繰り返す。
【００９８】
ユーザ入力またはレコーディングオペレーションによるユーザデータ記録が完了して、レコーディングオペレーションの終了が予測されれば（１２０４）、記録装置の制御部１は、メモリに保存された欠陥に関する情報を読み込む（１２０５）。
【００９９】
そして、一つ以上の欠陥に関する情報を含むＤＬを生成した（１２０６）後、生成されたＤＬをＳＡ／ＤＬ領域に記録する（１２０７）。すなわち、ＤＬを記録する時点で、ＳＡ／ＤＬ領域内の記録可能な位置、すなわち、例えば、最も最近に代替された代替ブロックが記録された位置の次の記録可能な位置に記録する。
【０１００】
その後、ＳＡ／ＤＬ領域内の次の記録可能な位置情報を含むＤＤＳ及びＲＭＤをリードイン領域またはリードアウト領域に設けられたＤＤＳ／ＲＭＤ領域に記録する（１２０８）。
【０１０１】
以上で説明したような本発明は、追記型情報記録媒体に効果的に適用されることはもとより、再起録情報記録媒体に対しても同様に適用されうる。
【０１０２】
以上で説明したような記録／再生方法は、またコンピュータで読み取り可能な記録媒体にコンピュータで読み取り可能なコードとして具現することが可能である。コンピュータで読み取り可能な記録媒体は、コンピュータシステムによって読み取られうるデータが保存されるあらゆる種類の記録媒体を含む。コンピュータで読み取り可能な記録媒体の例としては、磁気記録媒体、光記録媒体、キャリアウェーブ（例えば、インターネットを介した伝送）、ファームウェアまたは他の記録可能媒体の形態を含む。また、コンピュータで読み取り可能な記録媒体は、ネットワークに連結されたコンピュータシステムに分散されて、分散方式でコンピュータで読み取り可能なコードが保存され、かつ実行されうる。そして、前記記録／再生方法を具現するための機能的なプログラム、コード及びコードセグメントは、当業界のプログラマーによって容易に推論されうる。
【０１０３】
以上で、本発明についてその望ましい実施形態を中心に説明した。当業者は、本発明が本発明の本質的な特性から逸脱しない範囲で変形された形態で具現されうることを理解できるであろう。したがって、開示された実施形態は、限定的な観点ではなく、説明的な観点で考慮されねばならない。本発明の範囲は、前述した説明ではなく、特許請求の範囲に示されており、それと同等な範囲内にあるあらゆる差異点は、本発明に含まれたものと解釈されねばならない。
【産業上の利用可能性】
【０１０４】
本発明は、光記録情報記録媒体、記録／再生装置、記録／再生方法及びその方法を行うプログラムが記録されたコンピュータで読み取り可能な記録媒体に適用できる。
【図面の簡単な説明】
【０１０５】
【図１】本発明に係る記録／再生装置の構成の概略的なブロック図である。
【図２Ａ】本発明に係る単一記録層ディスクのディスク構造図の第１例である。
【図２Ｂ】本発明に係る単一記録層ディスクのディスク構造図の第２例である。
【図３Ａ】本発明に係る二重記録層ＯＴＰにおいてディスク構造図の第３例である。
【図３Ｂ】本発明に係る二重記録層ＰＴＰにおいてディスク構造図の第４例である。
【図３Ｃ】本発明に係る二重記録層ＯＴＰにおいてディスク構造図の第５例である。
【図３Ｄ】本発明に係る二重記録層ＰＴＰにおいてディスク構造図の第６例である。
【図４】本発明に係るＳＡ／ＤＬ領域のデータ構造図の一例である。
【図５】図４に示すＤＬ＃ｉのデータ構造図の一例である。
【図６】図５に示す欠陥＃ｉに関する情報のデータ構造図の一例である。
【図７】本発明によって、ユーザ領域に発生した欠陥を管理する情報をＳＡ／ＤＬ領域に記録する概念を説明するための参考図である。
【図８】本発明に係るＤＤＳ／ＲＭＤ領域のデータ構造図の一例である。
【図９】図８に示すＤＤＳ／ＲＭＤ＃０のデータ構造図の一例である。
【図１０】図８に示すＤＤＳ／ＲＭＤ＃ｉを構成するＤＤＳのデータ構造図の一例である。
【図１１】図８に示すＤＤＳ／ＲＭＤ＃ｉを構成するＲＭＤのデータ構造図の一例である。
【図１２】本発明によって光ディスクに／からデータを記録／再生するためのディスク管理方法の過程を示すフローチャートである。
【図１】
2007518213.tif 000003
【図２Ａ】
2007518213.tif 000004
【図２Ｂ】
2007518213.tif 000005
【図３Ａ】
2007518213.tif 000006
【図３Ｂ】
2007518213.tif 000007
【図３Ｃ】
2007518213.tif 000008
【図３Ｄ】
2007518213.tif 000009
【図４】
2007518213.tif 000010
【図５】
2007518213.tif 000011
【図６】
2007518213.tif 000012
【図７】
2007518213.tif 000013
【図８】
2007518213.tif 000014
【図９】
2007518213.tif 000015
【図１０】
2007518213.tif 000016
【図１１】
2007518213.tif 000017
【図１２】
2007518213.tif 000018
【国際調査報告】
2007518213.tif 000019